(57)【要約】【課題】従来技術に比べてよりフレキシブルな、支持底部の高さ調節を許容し、かつ単純に形成されていて簡単に掃除され得る、家庭用機器内の支持底部のためのブラケットを提供する。【解決手段】支持エレメント１８が、成形レール１４に沿った運動を防止されて、実質的に摩擦接続的に成形レール１４に固定可能であるようにした。【選択図】      図１
2005069495.tif 000002
【特許請求の範囲】
【請求項１】
家庭用機器（１２）内の支持底部（１０）のためのブラケットであって、少なくとも１つの成形レール（１４）が設けられており、該成形レール（１４）が、ほぼ鉛直に延びるように家庭用機器（１２）の収容室（１６）内に組み付けられており、少なくとも１つの支持エレメント（１８）が設けられており、該支持エレメント（１８）に支持底部（１０）が取り付けられており、前記支持エレメント（１８）が選択的に成形レール（１４）に沿って摺動可能であるかまたは成形レール（１４）に固定可能である形式のものにおいて、支持エレメント（１８）が、成形レール（１４）に沿った運動を防止されて、実質的に摩擦接続的に成形レール（１４）に固定可能であることを特徴とする、家庭用機器内の支持底部のためのブラケット。
【請求項２】
支持エレメント（１８）が成形レール（１４）に、摩擦ロッキング機構の形式で固定可能であり、このために支持エレメント（１８）が、第１の接触領域（２０）と第２の接触領域（２４）とを有しており、前記第１の接触領域（２０）が、成形レール（１４）の、支持底部（１０）側の前面（２２）に接触させられ得るようになっており、前記第２の接触領域（２４）が、成形レール（１４）の前面（２２）における第１の接触領域（２０）の接触箇所よりも高い位置に位置する箇所で、成形レール（１４）の背面（２６）に接触させられ得るようになっている、請求項１記載のブラケット。
【請求項３】
支持エレメント（１８）が、第１および第２の接触領域（２０，２４）を形成しているスリーブ区分（２８）を有しており、該スリーブ区分（２８）が成形レール（１４）を次のように、すなわち、支持エレメント（１８）が成形レール（１４）に関して保持位置（図６〜図８）と摺動位置（図９〜図１１）との間で傾動可能であるように、遊びを備えて包囲しており、前記保持位置（図６〜図８）で接触領域（２０，２４）が、成形レール（１４）の前面もしくは背面（２２，２６）に接触しており、前記摺動位置（図９〜図１１）で支持エレメント（１８）が成形レール（１４）に沿って摺動可能である、請求項２記載のブラケット。
【請求項４】
支持エレメント（１８）の、成形レール（１４）の前面（２２）に面した側に、収容切欠（３０）が設けられており、該収容切欠（３０）内にくさび状スライダ（３２）が押し込み可能であり、該くさび状スライダ（３２）が、押し込まれた状態（図６）で、支持エレメント（１８）と成形レール（１４）の前面（２２）とに接触していて、これにより、支持エレメント（１８）を保持位置（図６〜図８）で、成形レール（１４）に関して傾動しないように固定している、請求項３記載のブラケット。
【請求項５】
くさび状スライダ（３２）が、成形レール（１４）とは反対の側に突出部（３４）を有しており、該突出部（３４）が、支持エレメント（１８）の収容切欠（３０）におけるアンダカット部（３６）に後方から係合している、請求項４記載のブラケット。
【請求項６】
支持エレメント（１８）の第２の接触領域（２４）が、微小歯列（３８）を備えており、該微小歯列（３８）が、成形レール（１４）の背面（２６）における相補形状を有する微小歯列（４０）に係合させられ得る、請求項２から５までのいずれか１項記載のブラケット。
【請求項７】
支持エレメント（１８）が成形レール（１４）に、クランプストラップの形式で固定可能であり、このために支持エレメント（１８）が、成形レール（１４）を包囲していてスリット付きでばね弾性的に形成されているスリーブ区分（４２）を有しており、該スリーブ区分（４２）に、スリット（４４）の両側に延在している２つの脚部（４６，４８）が続いており、これらの脚部（４６，４８）が偏心締まり棒機構（５０）によって、保持位置（図１６〜図１８）から摺動位置（図１９）にかつ摺動位置（図１９）から保持位置（図１６〜図１８）に、互いに向かって移動可能であるかもしくは互いに離れるように移動可能であり、スリーブ区分（４２）が、保持位置（図１６〜図１８）で成形レール（１４）にクランプ固定されていて、摺動位置（図１９）で次のように、すなわち、支持エレメント（１８）が成形レール（１４）に沿って摺動可能であるように、ばね弾性的に拡開させられている、請求項１記載のブラケット。
【請求項８】
スリーブ区分（２８；４２）が内周部に、成形レール（１４）の外周部における横断面形状と協働する横断面形状を有しており、スリーブ区分（２８；４２）が有する前記横断面形状が、保持位置（図６〜図８；図１６〜図１８）で、成形レール（１４）の長手延在方向に対して垂直な平面における支持エレメント（１８）の回動を、形状接続的に防止している、請求項３または７記載のブラケット。
【請求項９】
支持底部（１０）が支持エレメント（１８）に、少なくとも１つの係止装置（５２）によって、取外し可能に係止されている、請求項１から８までのいずれか１項記載のブラケット。
【請求項１０】
係止装置（５２）が、支持エレメント（１８）に固定されているかまたは支持エレメント（１８）と一体的に形成されているばね弾性的な複数の突出部（５４）を有しており、これらの突出部（５４）が、支持底部（１０）の組み付けられた状態で、支持底部（１０）における貫通孔（５６）を貫通して延在していて、自由端部にそれぞれ係止ノーズ（５８）を備えており、該係止ノーズ（５８）が支持底部（１０）に裏から係合している、請求項９記載のブラケット。
【請求項１１】
支持エレメント（１８）がアーム区分（６０）を有しており、該アーム区分（６０）が、支持底部（１０）を支持するための平らな支持面（６２）を有しており、少なくとも１つの係止装置（５２）が、支持面（６２）の領域に形成されている、請求項９または１０記載のブラケット。
【請求項１２】
アーム区分（６０）の支持面（６２）に、成形レール（１４）の方向に溝（６４）が続いており、該溝（６４）が支持エレメント（１８）に形成されていて、支持底部（１０）の縁部（６６）を形状接続的に収容するために働くようになっている、請求項１１記載のブラケット。
【請求項１３】
成形レール（１４）の一方の端部（６８）が、収容室（１６）の底部（７２）における切欠（７０）内に、取外し可能に収容されており、これに対して成形レール（１４）の他方の端部（７４）が、収容室（１６）の天井（７８）における切欠（７６）内に、取外し可能に収容されており、成形レール（１４）の長さ（Ｌ）が、切欠（７０，７６）のベース部（８０，８２）の内法の間隔（Ａ）よりも、予め規定された値（Ｂ）だけ小さく寸法設定されており、前記値（Ｂ）が、収容室（１６）の底部（７２）における切欠（７０）の深さ（Ｔ）よりも大きく寸法設定されている、請求項１から１２までのいずれか１項記載のブラケット。
【請求項１４】
成形レール（１４）が外周部に、切欠（７０，７６）の内周部における横断面形状と協働する横断面形状を有しており、成形レール（１４）が有する前記横断面形状が、切欠（７０，７６）内の成形レール（１４）の回動を、形状接続的に防止している、請求項１３記載のブラケット。
【発明の詳細な説明】
【０００１】
【発明の属する技術分野】
本発明は、家庭用機器内の支持底部のためのブラケットであって、少なくとも１つの成形レールが設けられており、該成形レールが、ほぼ鉛直に延びるように家庭用機器の収容室内に組み付けられており、少なくとも１つの支持エレメントが設けられており、該支持エレメントに支持底部が取り付けられており、支持エレメントが選択的に成形レールに沿って摺動可能であるかまたは成形レールに固定可能である形式のものに関する。本発明は、特に、冷蔵庫もしくは冷凍庫またはレンジ（オーブン付きレンジ）内の支持底部のためのブラケットに関する。
【０００２】
【従来の技術】
このような家庭用機器の場合、冷蔵製品支持体もしくは冷凍製品支持体または（パン・ケーキもしくは肉等の）焼き製品支持体として働く支持底部が高さの点で調節可能であり、これにより、支持底部の相互間隔もしくは支持底部と冷蔵室のまたは（パン・ケーキおよび肉等を焼くための）焼き室の底部または天井との間隔が、支持すべき製品の大きさに応じて調節され得ることが好ましい。
【０００３】
従来技術では、どのようにして家庭用機器内の支持底部を高さ調節可能に保持することができるかという提案が無いわけではない。例えば、上位概念を成すヨーロッパ特許出願公開第０６１９４６４号明細書には、冷蔵庫であって、冷蔵室を制限していて冷蔵庫扉が枢着されているボディ部と、冷蔵庫の側壁に保持された棚板とが設けられている形式のものが開示されている。棚板を保持するために、前記冷蔵庫の側壁には、それぞれ鉛直でかつ互いに平行に延在している２つのレールが固定されており、これらのレールは、予め規定された間隔で係止切欠を備えている。レールでは保持片が摺動可能に案内されており、これらの保持片はレールの係止切欠に選択的に係止され得る。これにより、冷蔵室内の棚板の高さが段階的に調節可能となる。保持片は、互いに向かい合った側に案内片を備えており、これらの案内片は、棚板の側方の端縁の溝に係合している。したがって、冷蔵庫扉が開かれている場合には、棚板を引出しのように冷蔵室から引き出すこともできる。
【０００４】
さらに、ヨーロッパ特許出願公開第０６０１６８６号明細書に基づいて、冷蔵庫のための冷蔵製品・支持装置が公知である（図１）。この装置は、少なくとも２つの成形レールと、これらの成形レールに取外し可能に設けられていて、大きい冷蔵製品支持プレートを支持している２つの支持アームと、成形レールに取外し可能に設けられた横ビームとを有している。この横ビームで、小さい冷蔵製品支持プレートが、水平方向で摺動可能に案内されている。金属またはプラスチックから成っている成形レールは、鉛直方向に延在していて水平方向で互いに間隔を保って配置されるように、ねじによって冷蔵庫の背面に固定されている。各成形レールはＵ字形の横断面を有していて、その長さにわたって、一定の間隔を保って配置された複数のスリットを備えている。これらのスリットは、支持アームのもしくは横ビームのフック状の端部を収容するために働く。この従来技術の場合、冷蔵製品支持プレートの高さは、支持アームもしくは横ビームがまず成形レールから取り外され、次いでそのフック状の端部が、成形レールの別の箇所における対応するスリット内に再び引っ掛けられることによって、市販の棚の場合のように段階的に調節され得る。
【０００５】
さらに、（パン・ケーキおよび肉等を焼くための）焼き管のために鋏型機構が提案されている（ドイツ連邦共和国実用新案第７５０７１２６号明細書）。この鋏型機構の鋏脚部は、焼き製品支持体の高さを段階的に調節するために、種々異なる角度位置で互いに係止され得る。このために、一方の鋏脚部は鋏継手の近くに係止ピンを備えており、他方の鋏脚部は、前記係止ピンを選択的に収容するための複数の係止切欠を備えた円弧状の区分を有している。
【０００６】
上述の既に公知の構造体に共通するのは、支持底部の高さが、比較的に大きい段階でしか調節され得ないことである。さらに、これらの支持装置は、特に、支持底部を形状接続的（ｆｏｒｍｓｃｈｌｕｅｓｓｉｇ）に保持するために必要とされる、汚れが付きやすい係止切欠もしくはスリットに基づいて、掃除をするのが困難である。
【０００７】
最後に、家庭用機器内の支持底部の高さ調節のためには、比較的にコスト高な伝動機構も既に提案されている。例えばヨーロッパ特許出願公開第０４３８１８０号明細書に記載された構造体の場合、支持底部を支持するために２つの支持アームが設けられている。これらの支持アームは、冷蔵庫の後壁と側壁との間の角隅に配置された対応する案内成形体において、鉛直方向で摺動可能に案内されている。ここでは各支持アームは、ウォーム駆動装置を収容するためのケーシングとして形成されており、前記ウォーム駆動装置は、支持アーム内に支承された小歯車を駆動するために働く。この小歯車は、それぞれの支持アームに対応配置された案内成形体におけるラック区分と噛み合うので、支持アームとひいては支持底部とが、ウォーム駆動装置を介した小歯車の回転によって高さ調節可能となる。この構造体は確かに、支持底部の実質的に無段階の高さ調節を可能にするが、比較的にコスト高であるため、冷蔵庫のコストを相当に上昇させてしまう。
【０００８】
【特許文献１】
ヨーロッパ特許出願公開第０６１９４６４号明細書
【特許文献２】
ヨーロッパ特許出願公開第０６０１６８６号明細書
【特許文献３】
ドイツ連邦共和国実用新案第７５０７１２６号明細書
【特許文献４】
ヨーロッパ特許出願公開第０４３８１８０号明細書
【０００９】
【発明が解決しようとする課題】
本発明の課題は、例えばヨーロッパ特許出願公開第０６１９４６４号明細書による従来技術から出発して、上位概念を成す従来技術に比べてよりフレキシブルな、支持底部の高さ調節を許容し、かつできるだけ単純に形成されていて、簡単に掃除され得るような、家庭用機器内の支持底部のためのブラケットを提供することである。
【００１０】
【課題を解決するための手段】
この課題を解決するために本発明の構成では、支持エレメントが、成形レールに沿った運動を防止されて、実質的に摩擦接続的（ｋｒａｆｔｓｃｈｌｕｅｓｓｉｇ）に成形レールに固定可能であるようにした。本発明の有利なもしくは目的にかなった構成は、請求項２〜１４に記載してある。
【００１１】
【発明の効果】
家庭用機器内の支持底部のためのブラケットであって、少なくとも１つの成形レールが設けられており、該成形レールが、ほぼ鉛直に延びるように家庭用機器の収容室内に組み付けられており、少なくとも１つの支持エレメントが設けられており、該支持エレメントに支持底部が取り付けられており、前記支持エレメントが選択的に成形レールに沿って摺動可能であるかまたは成形レールに固定可能である形式のものにおいて、本発明の根本思想によれば、前記支持エレメントは、成形レールに沿った運動を防止されて、実質的に摩擦接続的に成形レールに固定可能である。
【００１２】
支持エレメントを成形レールに固定するこの構成に従えば、成形レールに係止切欠またはスリットは無くても済む。これにより、成形レールは、中断されていないかもしくは滑らかな、ひいては容易に掃除され得る表面を有していてよい。
さらに、支持エレメントは、任意の高さ位置で成形レールに固定され得る。すなわち、支持底部の高さ調節に際して、上述の従来技術の場合とは異なって、係止切欠またはスリットの位置によって段階的に予め設定された高さ位置に拘束されることがない。
【００１３】
本発明の根本思想の続きでは、請求項２に記載した、摩擦接続的な固定部の第１の構成可能性によれば、支持エレメントは成形レールに、摩擦ロッキング機構の形式で固定可能である。このために支持エレメントは、第１の接触領域と第２の接触領域とを有しており、前記第１の接触領域が、成形レールの、支持底部側の前面に接触させられ得るようになっており、前記第２の接触領域が、成形レールの前面における第１の接触領域の接触箇所よりも高い位置に位置する箇所で、成形レールの背面に接触させられ得るようになっている。結局のところ、支持エレメントは、成形レールにおける静摩擦によって保持される。この場合、支持エレメントと支持底部と、場合によってはこの支持底部に置かれた製品との自重は、支持エレメントにトルクを生ぜしめ、支持エレメントは接触領域を介して成形レールで支持される。この場合接触領域から成形レールに加えられ、通常成形レールに向かって作用する力Ｆｎは、反力Ｆｒを生ぜしめる。この反力は、成形レールの長手延在方向に作用しながら支持エレメントを成形レールに保持する、すなわち、支持エレメントと支持底部と、場合によっては支持底部に置かれた製品との自重に抗して作用する。前記反力の値は、法線力Ｆｎと静摩擦計数μ０との積に相当する。
【００１４】
請求項３の教示によれば、摩擦接続的な固定部の先述の構成可能性において、支持エレメントは、第１の接触領域と第２の接触領域とを単純な形式で形成するスリーブ区分を有している。このスリーブ区分は成形レールを次のように、すなわち、支持エレメントが成形レールに関して保持位置と摺動位置との間で傾動可能であるように、遊びを備えて包囲しており、前記保持位置で接触領域が、成形レールの前面もしくは背面に接触しており、前記摺動位置で支持エレメントが成形レールに沿って摺動可能である。すなわち、支持底部の高さ調節中にスリーブ区分は、有利には、成形レールにおける支持エレメントの、規定された案内のためにも働く。
【００１５】
請求項４によれば、支持エレメントの、成形レールの前面に面した側に、収容切欠が設けられており、該収容切欠内にくさび状スライダが押し込み可能であり、該くさび状スライダが、押し込まれた状態で、支持エレメントと成形レールの前面とに接触していて、これにより、支持エレメントを保持位置で、成形レールに関して傾動しないように固定している。したがって、支持エレメントが例えば支持底部の持ち上げによって不用意に保持位置から摺動位置に傾動させられ、次いで、成形レールに沿って下方に滑落することは、単純な形式で防止される。
【００１６】
請求項５によれば、くさび状スライダは、成形レールとは反対の側に突出部を有しており、該突出部が、支持エレメントの収容切欠におけるアンダカット部に後方から係合している。ここでは突出部は、有利な形式では、くさび状スライダのための紛失防止装置として働く。この場合、くさび状スライダは、支持底部の高さ調節に際して、突出部が収容切欠のアンダカット部に接触させられるまでの距離しか、支持エレメントの収容切欠から引き出され得ない。
【００１７】
請求項６によれば、支持エレメントの第２の接触領域が、微小歯列を備えており、該微小歯列が、成形レールの背面における相補形状を有する微小歯列に係合させられ得ることが考えられる。微小歯列は、支持エレメントの、成形レールに沿った滑落を、付加的に防止するために働く。微小歯列を備えた構成は、特に、例えば温度に起因してまたは湿度に起因して小さい静摩擦係数μ０しか存在しないかもしくはこの静摩擦係数の減少が起こり得るような使用例のために呈示される。
【００１８】
請求項７では、本発明の根本思想の経過において、摩擦接続的な固定部の第２の構成可能性を記載してある。この構成可能性によれば、支持エレメントが成形レールに、クランプストラップ（Ｋｌｅｍｍｓｃｈｅｌｌｅ）の形式で固定可能である。このために支持エレメントは、成形レールを包囲していてスリット付きでばね弾性的に形成されているスリーブ区分を有しており、該スリーブ区分に、スリットの両側に延在している２つの脚部が続いており、これらの脚部が偏心締まり棒機構（Ｅｘｚｅｎｔｅｒｋｎｅｂｅｌｍｅｃｈａｎｉｓｍｕｓ）によって、保持位置から摺動位置にかつ摺動位置から保持位置に、互いに向かって移動可能であるかもしくは互いに離れるように移動可能であり、この場合、スリーブ区分が、保持位置で成形レールにクランプ固定されていて、摺動位置で次のように、すなわち、支持エレメントが成形レールに沿って摺動可能であるようにばね弾性的に拡開させられている。自転車のフレーム管内にサドル支持装置を固定する原理に似ている前記固定原理でも、支持エレメントは、単純な形式で静摩擦によって成形レールに保持される。
【００１９】
請求項８の教示によれば、スリーブ区分は内周部に、有利には、成形レールの外周部における横断面形状と協働する横断面形状を有しており、スリーブ区分が有する前記横断面形状は、保持位置で、成形レールの長手延在方向に対して垂直な平面における支持エレメントの回動を、形状接続的に防止している。したがって、前記回動の防止のために、付加的な構成部材は必要とされない。
【００２０】
根本的に、支持底部は支持エレメントに接着されていてよく、かつ／またはリベット留めされていてよく、かつ／またはねじ留めされていてよい。しかしながら良好でかつ簡単な掃除可能性を顧慮すれば、請求項９による構成が有利である。請求項９によれば、支持底部は支持エレメントに、少なくとも１つの係止装置によって、取外し可能に係止されている。この場合、請求項１０の教示によれば、係止装置は有利には、支持エレメントに固定されているかまたは支持エレメントと一体的に形成されているばね弾性的な複数の突出部を有しており、これらの突出部は、支持底部の組み付けられた状態で、支持底部における貫通孔を貫通して延在していて、自由端部にそれぞれ係止ノーズを備えており、該係止ノーズが支持底部に裏から係合している。突出部を支持底部に固定するかもしくは支持底部と一体的に形成し、前記突出部に対応配置された、場合によってはアンダカットされた孔を支持エレメントに加工成形することも、考えられ得るであろう。有利には、支持エレメントは、請求項１１に記載したようにアーム区分を有しており、該アーム区分は、支持底部を支持するための平らな支持面を有しており、この場合、少なくとも１つの係止装置が、前記支持面の領域に形成されている。請求項１２によれば、アーム区分の支持面に、成形レールの方向に有利には溝が続いており、該溝は支持エレメントに形成されていて、支持底部の縁部を形状接続的に収容するために働く。したがって係止装置は、支持底部の持ち上げに際して、支持底部が不用意にアーム区分の支持面から取り外されることを防止するだけでよい。支持底部の押し下げに際して、この支持底部は溝によって、アーム区分の支持面からの取外しを阻止される。
【００２１】
請求項１３の教示によれば、成形レールの一方の端部は、収容室の底部における切欠内に、取外し可能に収容されており、これに対して成形レールの他方の端部は、収容室の天井における切欠内に、取外し可能に収容されている。この場合、成形レールの長さは、切欠のベース部の内法の間隔よりも、予め規定された値だけ小さく寸法設定されており、しかも前記値は、収容室の底部における切欠の深さよりも大きく寸法設定されている。この構成は、一方では、家庭用機器の収容室内に成形レールを確実に固定するために働く。他方では、成形レールは例えば掃除目的で、ねじまたはこれに類するものがゆるめられる必要なしに、容易に収容室から取り出され得る。
【００２２】
最後に請求項１４では、成形レールが外周部に、有利な形式では、切欠の内周部における横断面形状と協働する横断面形状を有しており、成形レールが有する前記横断面形状が、切欠内の成形レールの回動を、形状接続的に防止していることが考えられる。したがって、前記回動の防止のために、付加的な構成部材は必要とされない。
【００２３】
【発明の実施の形態】
以下に本発明の実施の形態を、有利な実施例に基づいて、部分的で概略的な添付した図面に関連付けて詳しく説明する。
【図面の簡単な説明】
【図１】家庭用機器の収容室内に配置された、本発明による支持底部のためのブラケットの組込み状況を具体的に示すための、家庭用機器の斜視図的で部分的な断面図である。
【図２】断面して示した家庭用機器の収容室内に組み付けられていて、摩擦ロッキング機構の形式の支持底部・支持エレメントが成形レールに固定可能である、本発明の第１実施例による、支持底部のためのブラケットの側面図である。
【図３】ブラケットの成形レールの上側端部が収容室の天井における切欠内に収容されている様子を具体的に示す、図２における細部ＩＩＩの拡大図である。
【図４】ブラケットの成形レールの下側端部が収容室の底部における切欠内に収容されている様子を具体的に示す、図２における細部ＩＶの拡大図である。
【図５】第１実施例によるブラケットの、破断して示した斜視図的な縦断面図である。
【図６】第１実施例によるブラケットの、破断して示した概略的な縦断面図である。この場合、ブラケットの支持エレメントは保持位置に位置しており、この位置では、支持エレメントは成形レールに沿って摺動可能ではない。
【図７】支持エレメントの保持位置で、支持エレメントの上側の接触領域が成形レールの背面に接触していることを具体的に示す、図６における細部ＶＩＩの拡大図である。
【図８】支持エレメントの保持位置で、支持エレメントの下側の接触領域が成形レールの前面に接触していることを具体的に示す、図６における細部ＶＩＩＩの拡大図である。
【図９】第１実施例によるブラケットの、図６と同様に破断して示した概略的な縦断面図である。この場合、ブラケットの支持エレメントは摺動位置に位置しており、この位置では、支持エレメントは成形レールに沿って摺動可能である。
【図１０】支持エレメントの摺動位置で、支持エレメントの上側の接触領域が成形レールの背面から間隔を保って配置されていることを具体的に示す、図９における細部Ｘの拡大図である。
【図１１】支持エレメントの摺動位置で、支持エレメントの上側の接触領域が成形レールの前面から間隔を保って配置されていることを具体的に示す、図９における細部ＸＩの拡大図である。
【図１２】第１実施例の変化例に従った、本発明による支持底部のためのブラケットの、破断して示した縦断面図である。前記変化例では、支持エレメントの上側の接触領域と成形レールの背面とが、互いに補い合い相補形状を有する微小歯列を備えており、くさび状スライダが成形レールの前面において支持エレメントで紛失防止されている。
【図１３】図１２におけるＸＩＩＩ−ＸＩＩＩ線に沿った、図１２によるブラケットの、破断して示した断面図である。
【図１４】支持底部が係止装置によって支持エレメントに取外し可能に固定されている様子を具体的に示す、ブラケットの、図５の図に対して拡大して破断して示した断面図である。
【図１５】係止装置をより分かりやすく示すために支持底部が取り外された、図１４に示した支持エレメントの、破断して示した斜視図である。
【図１６】クランプストラップの形式の支持底部・支持エレメントが成形レールに固定可能である、本発明の第２実施例による、支持底部のためのブラケットの概略的な斜視図である。
【図１７】図１６におけるＸＶＩＩ−ＸＶＩＩ線に沿った、第２実施例によるブラケットの斜視図的な横断面図である。
【図１８】第２実施例によるブラケットの横断面図である。この場合、支持エレメントは偏心締まり棒機構によって保持位置に保持されており、この保持位置では、支持エレメントは成形レールにクランプ固定されている。
【図１９】第２実施例によるブラケットの横断面図である。この場合、支持エレメントはその摺動位置に位置しており、この位置では、支持エレメントは成形レールに沿って摺動可能である。
【符号の説明】
１０  支持底部、  １２  家庭用機器、  １４  成形レール、  １６  収容室、  １８  支持エレメント、  ２０  接触領域、  ２２  前面、  ２４  接触領域、  ２６  背面、  ２８  スリーブ区分、  ３０  収容切欠、  ３２  くさび状スライダ、  ３４  突出部、  ３６  アンダカット部、  ３８  微小歯列、  ４０  微小歯列、  ４２  スリーブ区分、  ４４  スリット、  ４６  脚部、  ４８  脚部、  ５０  偏心締まり棒機構、  ５２  係止装置、  ５４  突出部、５６  貫通孔、  ５８  係止ノーズ、  ６０  アーム区分、  ６２  支持面、６４  溝、  ６６  縁部、  ６８  端部、  ７０  切欠、  ７２  底部、  ７４  端部、  ７６  切欠、  ７８  天井、  ８０  ベース部、  ８２  ベース部
【図１】
2005069495.tif 000003
【図２】
2005069495.tif 000004
【図３】
2005069495.tif 000005
【図４】
2005069495.tif 000006
【図５】
2005069495.tif 000007
【図６】
2005069495.tif 000008
【図７】
2005069495.tif 000009
【図８】
2005069495.tif 000010
【図９】
2005069495.tif 000011
【図１０】
2005069495.tif 000012
【図１１】
2005069495.tif 000013
【図１２】
2005069495.tif 000014
【図１３】
2005069495.tif 000015
【図１４】
2005069495.tif 000016
【図１５】
2005069495.tif 000017
【図１６】
2005069495.tif 000018
【図１７】
2005069495.tif 000019
【図１８】
2005069495.tif 000020
【図１９】
2005069495.tif 000021